(57)【特許請求の範囲】
【請求項１】
デッキプレートは、コンクリートが打設される上面を有する板部と、該板部の下面に互いに間隔をおき互いに平行に延在する複数のリブ部とを備え、
前記複数のリブ部の下方に前記リブ部の延在方向に沿って間仕切壁が設けられるデッキプレートと間仕切壁の接合構造であって、
前記デッキプレートを該デッキプレートの隣り合う２つのリブ部の間隔よりも大きい幅で切断してなる連結部材を設け、
前記連結部材は前記リブ部を上方に向けてその板部の下面が間仕切壁の上端に取着されると共に、前記連結部材のリブ部が前記デッキプレートのリブ部の間に位置し、さらに、前記デッキプレートのリブ部の下面に連結部材の板部の上面が取着されることで配設される、
ことを特徴とするデッキプレートと間仕切壁の接合構造。
【請求項２】
吸音材、遮音材、耐火材の少なくとも１つが、前記間仕切壁の上方で前記デッキプレートのリブ部と連結部材のリブ部との間に間仕切壁の厚さ方向にわたって延在するように充填されていることを特徴とする請求項１記載のデッキプレートと間仕切壁の接合構造。
【請求項３】
デッキプレートは、コンクリートが打設される上面を有する板部と、該板部の下面に互いに間隔をおき互いに平行に延在する複数のリブ部とを備え、
前記複数のリブ部の下方に前記リブ部の延在方向に沿って間仕切壁が設けられるデッキプレートと間仕切壁の接合構造であって、
前記デッキプレートの隣り合う２つのリブ部の間隔よりも大きい幅を有し、かつ、前記リブ部の延在方向に延在する底壁と、前記底壁の幅方向の両側部から起立される２つの側壁とを有する連結部材を設け、
前記連結部材は前記２つの側壁を上方に向けてその底壁の下面が間仕切壁の上端に取着されると共に、前記２つの側壁が前記複数のリブ部のうち幅方向の外側に位置する２つのリブ部の外側に位置した状態で前記２つの側壁が前記板部の下面に取着されることで配設される、
ことを特徴とするデッキプレートと間仕切壁の接合構造。
【請求項４】
前記複数のリブ部の下面に前記連結部材の底壁の上面がさらに取着されていることを特徴とする請求項３記載のデッキプレートと間仕切壁の接合構造。
【請求項５】
前記２つの側壁は、上方に向かうにしたがって互いに近接する方向に傾斜して形成されるとともに、前記２つの側壁の間に位置する前記複数のリブ部のうち前記幅方向の外側に位置する２つのリブ部の外側の箇所に係合可能に設けられていることを特徴とする請求項３または４記載のデッキプレートと間仕切壁の接合構造。
【請求項６】
吸音材、遮音材、耐火材の少なくとも１つが、前記間仕切壁の上方で間仕切壁の厚さ方向にわたって延在するように、前記複数のリブ部の間に充填されていることを特徴とする請求項３、４または５記載のデッキプレートと間仕切壁の接合構造。
【請求項７】
デッキプレートは、コンクリートが打設される上面を有する板部と、該板部の下面に互いに間隔をおき互いに平行に延在する複数のリブ部とを備え、複数個の前記デッキプレートが前記リブ部の延在方向と直交する方向に所定の間隔をおいて建て込まれ、
前記隣り合う２つのデッキプレートの間の下方に前記リブ部の延在方向に沿って間仕切壁が設けられるデッキプレートと間仕切壁の接合構造であって、
前記隣り合う２つデッキプレートの間で前記板部よりも下方の位置で前記リブ部の延在方向に延在する底壁と、前記底壁の幅方向の両側部から起立される２つの側壁とを有する連結部材を設け、
前記連結部材は前記２つの側壁を上方に向けてその底壁の下面が間仕切壁の上端に取着されると共に、前記２つの側壁の上端部が前記隣り合う２つのデッキプレートの板部の側縁部に当接されて配設され、
前記デッキプレートの板部の上面に打設されたコンクリートが、前記間仕切壁の上方で間仕切壁の厚さ方向にわたって延在するように、前記連結部材の底壁の上面と前記２つの側壁に囲まれた部分に充填されている、
ことを特徴とするデッキプレートと間仕切壁の接合構造。
【請求項８】
前記連結部材の底壁は、その幅方向の寸法が前記間仕切壁の厚さ以上となるように形成され、前記連結部材の底壁の上面と前記２つの側壁に囲まれた部分に充填されるコンクリートは前記間仕切壁の厚さ方向の全長にわたって延在することを特徴とする請求項７記載のデッキプレートと間仕切壁の接合構造。
【請求項９】
前記連結部材の２つの側壁の上端部が前記隣り合う２つのデッキプレートの板部の側縁部に取着されていることを特徴とする請求項７または８記載のデッキプレートと間仕切壁の接合構造。
【請求項１０】
デッキプレートは、コンクリートが打設される上面を有する板部と、該板部の下面に互いに間隔をおき互いに平行に延在する複数のリブ部とを備え、
前記複数のリブ部の下方に前記複数のリブ部の延在方向と交叉する方向に延在して間仕切壁が設けられるデッキプレートと間仕切壁の接合構造であって、
前記間仕切壁の延在方向に延在する底壁と、前記底壁の幅方向の両側部から前記底壁の長手方向に沿って起立された両側の側壁と、前記各側壁の長手方向に間隔をおいて設けられた上方に開放状の複数の切り欠きとを有する連結部材を設け、
前記連結部材は前記複数の側壁を上方に向けてその底壁の下面が間仕切壁の上端に取着されると共に、前記複数の側壁が前記デッキプレートの隣り合う２つのリブ部の間をそれぞれ閉塞するように各リブ部が前記切り欠き内に収容され、かつ、前記複数の側壁の上端部が前記デッキプレートの板部の下面に取着されることで配設される、
ことを特徴とするデッキプレートと間仕切壁の接合構造。
【請求項１１】
前記連結部材の各切り欠き内への前記デッキプレートの各リブ部の収容は、前記各切り欠きと各リブ部との間に隙間が生じないように行なわれることを特徴とする請求項１０記載のデッキプレートと間仕切壁の接合構造。
【請求項１２】
吸音材、遮音材、耐火材の少なくとも１つが、前記間仕切壁の上方で間仕切壁の厚さ方向にわたって延在するように、前記両側の側壁と複数のリブ部の間に充填されていることを特徴とする請求項１０または１１記載のデッキプレートと間仕切壁の接合構造。
【請求項１３】
前記吸音材、遮音材、耐火材の少なくとも１つの充填は前記吸音材、遮音材、耐火材の少なくとも１つが前記間仕切壁の厚さ方向の全長にわたって、かつ、前記間仕切壁の延在方向にわたって延在するように行なわれることを特徴とする請求項２、６または１２記載のデッキプレートと間仕切壁の接合構造。
【発明の詳細な説明】
【０００１】
【発明の属する技術分野】
本発明は、例えば床スラブを構成するデッキプレートとこの床スラブの階下に設けられる間仕切壁の接合構造に関する。
【０００２】
【従来の技術】
図１３は、デッキプレートと間仕切壁の接合構造の従来例を示す断面図であり、デッキプレートのリブ部と間仕切壁が平行をなす場合について示す。
デッキプレート１００の板部１１０の上面１１１にコンクリート１０２を打設して床スラブ２００が構成されている。
デッキプレート１００は、板部１１０の下面１１２に互いに間隔をおいて互いに平行に延在する複数のリブ部１２０を備えている。リブ部１２０は、板部１１０の下面１１２から立設される壁部１２１によって構成されている。
そして、この床スラブ２００の階下に間仕切壁３００が設けられている。
間仕切壁３００とデッキプレート１００の接合は次のような手順で行われる。
【０００３】
図１４に示されているように、隣接する２つのリブ部１２０の下部の間にわたって延在するフラットバー３０１を複数個リブ部１２０の延在方向に沿って間隔をおいてリブ部１２０に取着する。
フラットバー３０１に軽鉄製のランナー３０２を打ち付けて取着する。ランナー３０２はデッキプレート１００の下方にある図略の床スラブにも打ち付けて取着される。
そして、上下のランナー３０２に上下方向に延在する柱材であるスタットを支持材として建て込み、このスタットの両面または片面に石膏ボード、珪酸カルシウム板などの板材３０３を釘、ステップル（タッカー）などにより貼り付けて間仕切壁３００を構成する。
間仕切壁３００を構成する板材３０３の間には耐火性を有するロックウールまたは多孔質吸音材３０４が充填される。
間仕切壁３００の上部をデッキプレート１００に固定するランナー３０２はリブ部１２０の下部に固定されることが多いため、デッキプレート１００の板部１１０の下面１１２と間仕切壁３００の上部との間に隙間があき、遮音性に欠ける。
【０００４】
したがって、遮音性能を確保するためには、デッキプレート１００の板部１１０の下面１１２と間仕切壁３００の上部との間に形成される隙間を防ぐために次のような対策が必要である。
第１に、床スラブ２００の形成後にデッキプレート１００のリブ部１２０を切断などにより除去する。
第２に、間仕切壁３００の上方におけるリブ部１２０で囲まれる空間に多孔質吸音材３０５を充填する。
第３に、デッキプレート１００の板部１１０の下面１１２と間仕切壁３００の上部との間に形成される隙間に耐火モルタルなどを塗り付けまたは吹き付けことにより隙間を充填する。
【０００５】
また、間仕切壁３００の上方におけるリブ部１２０と板部１００の下面１０２とフラットバー３０１の上面とで囲まれる空間を多孔質吸音材３０５などで埋める場合には、次に示すような問題がある。
すなわち、リブ部１２０の高さは６０ｍｍから１００ｍｍ程度、隣接するリブ部１２０の間隔は２００ｍｍ程度であり、一方、間仕切壁３００の厚さは１００ｍｍ〜１５０ｍｍ程度である。したがって、間仕切壁３００をリブ部１２０の間に構築しようとすると、間仕切壁３００の上部とデッキプレート１００の板部１１０との間に手が入らないために間仕切壁３００の上部の工事が困難となってしまう。
また、間仕切壁３００の位置がリブ部１２０の位置と合致している場合には、リブ部１２０の下場で間仕切壁３００を構築し、間仕切壁３００の上部とリブ部１２０の下部との間の空間を埋めるようにすることが多い。また、この場合には、遮音性能を確保するため、間仕切壁３００の上部のリブ部１２０の部分に対しても対策を行う必要がある。
【０００６】
また、図１５デッキプレートと間仕切壁の接合構造の従来例を示す断面図であり、図１６は、図１５を矢印Ａ方向から見た状態を示す立面図であり、デッキプレートのリブ部と間仕切壁が直交する場合について示す。
この場合も図１３、図１４と同様の手順で間仕切壁３００を構築する。
この際、同様にデッキプレート１００の板部１１０の下面１１２と間仕切壁３００の上部との間に隙間があき、遮音性に欠けるため、上述したのと同様の対策が必要となる。
また、前述したようにリブ部１２０の高さは６０ｍｍ〜１００ｍｍ程度、リブ部１２０の間隔は２００ｍｍ程度、リブ部１２０の下端部のリブ部の延在方向と直交する方向の厚みは６０ｍｍ程度が普通である。このため、実質的なリブ部１２０の間隔は１５０ｍｍ程度となり、リブ部１２０の下部で間仕切壁３００を構築する場合、リブ部１２０と間仕切壁３００の上部の間で細かい作業を行うことは難しい。
また、デッキプレート１００の板部１１０の下面１１２と間仕切壁３００の上部との間に隙間を埋める方法としては、リブ部１２０の下端位置まで間仕切壁３００を構築し、間仕切壁３００の上部とデッキプレート１００の板部１１０の下面１１２の隙間を埋めるか、図１６に示されているように、板材３０３の上部をリブ部１２０の間隔に合わせた凸状に切断加工し隙間を埋めて詰め物をする方法もある。
【０００７】
【発明が解決しようとする課題】
しかしながら、上述した各方法は手間が掛かるだけでなく、十分な遮音性能を期待できない、また、遮音性能にばらつきが生じ易く均一になり難いという問題がある。
本発明は、上記のような事情のもとになされたもので、その目的は、手間が掛からず、均一で優れた遮音性能を確保できるデッキプレートと間仕切壁の接合構造を提供することにある。
【０００８】
【課題を解決するための手段】
本発明のデッキプレートと間仕切壁の接合構造は、デッキプレートは、コンクリートが打設される上面を有する板部と、該板部の下面に互いに間隔をおき互いに平行に延在する複数のリブ部とを備え、前記複数のリブ部の下方に前記リブ部の延在方向に沿って間仕切壁が設けられるデッキプレートと間仕切壁の接合構造であって、前記デッキプレートを該デッキプレートの隣り合う２つのリブ部の間隔よりも大きい幅で切断してなる連結部材を設け、前記連結部材は前記リブ部を上方に向けてその板部の下面が間仕切壁の上端に取着されると共に、前記連結部材のリブ部が前記デッキプレートのリブ部の間に位置し、さらに、前記デッキプレートのリブ部の下面に連結部材の板部の上面が取着されることで配設されることを特徴とする。
【０００９】
そのため、連結部材とデッキプレートの間、連結部材と間仕切壁の上端の間を隙間なく接続することができるため、均一で優れた遮音性能を実現することができる。
また、連結部材を間仕切壁に接続する作業は、連結部材の下面と間仕切壁の上端を接続するのみでよいため、従来に比較して作業が容易である。
吸音材、遮音材、耐火材の少なくとも１つを間仕切壁の上方でデッキプレートのリブ部と連結部材のリブ部との間に間仕切壁の厚さ方向にわたって延在するように充填することが可能となる。
【００１０】
また、本発明のデッキプレートと間仕切壁の接合構造は、デッキプレートは、コンクリートが打設される上面を有する板部と、該板部の下面に互いに間隔をおき互いに平行に延在する複数のリブ部とを備え、前記複数のリブ部の下方に前記リブ部の延在方向に沿って間仕切壁が設けられるデッキプレートと間仕切壁の接合構造であって、前記デッキプレートの隣り合う２つのリブ部の間隔よりも大きい幅を有し、かつ、前記リブ部の延在方向に延在する底壁と、前記底壁の幅方向の両側部から起立される２つの側壁とを有する連結部材を設け、前記連結部材は前記２つの側壁を上方に向けてその底壁の下面が間仕切壁の上端に取着されると共に、前記２つの側壁が前記複数のリブ部のうち幅方向の外側に位置する２つのリブ部の外側に位置した状態で前記２つの側壁が前記板部の下面に取着されることで配設されることを特徴とする。
【００１１】
そのため、連結部材とデッキプレートの間、連結部材と間仕切壁の上端の間を隙間なく接続することができるため、均一で優れた遮音性能を実現することができる。
また、連結部材を間仕切壁に接続する作業は、連結部材の下面と間仕切壁の上端を接続するのみでよいため、従来に比較して作業が容易である。
吸音材、遮音材、耐火材の少なくとも１つを間仕切壁の上方で間仕切壁の厚さ方向にわたって延在するように、複数のリブ部の間に充填することが可能となる。
【００１２】
また、本発明のデッキプレートと間仕切壁の接合構造は、デッキプレートは、コンクリートが打設される上面を有する板部と、該板部の下面に互いに間隔をおき互いに平行に延在する複数のリブ部とを備え、複数個の前記デッキプレートが前記リブ部の延在方向と直交する方向に所定の間隔をおいて建て込まれ、前記隣り合う２つのデッキプレートの間の下方に前記リブ部の延在方向に沿って間仕切壁が設けられるデッキプレートと間仕切壁の接合構造であって、前記隣り合う２つデッキプレートの間で前記板部よりも下方の位置で前記リブ部の延在方向に延在する底壁と、前記底壁の幅方向の両側部から起立される２つの側壁とを有する連結部材を設け、前記連結部材は前記２つの側壁を上方に向けてその底壁の下面が間仕切壁の上端に取着されると共に、前記２つの側壁の上端部が前記隣り合う２つのデッキプレートの板部の側縁部に当接されて配設され、前記デッキプレートの板部の上面に打設されたコンクリートが、前記間仕切壁の上方で間仕切壁の厚さ方向にわたって延在するように、前記連結部材の底壁の上面と前記２つの側壁に囲まれた部分に充填されていることを特徴とする。
【００１３】
そのため、連結部材とデッキプレートの間、連結部材と間仕切壁の上端の間を隙間なく接続することができるため、均一で優れた遮音性能を実現することができる。
また、連結部材を間仕切壁に接続する作業は、連結部材の下面と間仕切壁の上端を接続するのみでよいため、従来に比較して作業が容易である。
また、連結部材の底壁の上面と２つの側壁に囲まれた部分に充填されたコンクリートによって優れた遮音性能を実現することができる。
【００１４】
また、本発明のデッキプレートと間仕切壁の接合構造は、デッキプレートは、コンクリートが打設される上面を有する板部と、該板部の下面に互いに間隔をおき互いに平行に延在する複数のリブ部とを備え、前記複数のリブ部の下方に前記複数のリブ部の延在方向と交叉する方向に延在して間仕切壁が設けられるデッキプレートと間仕切壁の接合構造であって、前記間仕切壁の延在方向に延在する底壁と、前記底壁の幅方向の両側部から前記底壁の長手方向に沿って起立された両側の側壁と、前記各側壁の長手方向に間隔をおいて設けられた上方に開放状の複数の切り欠きとを有する連結部材を設け、前記連結部材は前記複数の側壁を上方に向けてその底壁の下面が間仕切壁の上端に取着されると共に、前記複数の側壁が前記デッキプレートの隣り合う２つのリブ部の間をそれぞれ閉塞するように各リブ部が前記切り欠き内に収容され、かつ、前記複数の側壁の上端部が前記デッキプレートの板部の下面に取着されることで配設されることを特徴とする。
【００１５】
そのため、連結部材とデッキプレートの間、連結部材と間仕切壁の上端の間を隙間なく接続することができるため、均一で優れた遮音性能を実現することができる。
また、連結部材を間仕切壁に接続する作業は、連結部材の下面と間仕切壁の上端を接続するのみでよいため、従来に比較して作業が容易である。
また、吸音材、遮音材、耐火材の少なくとも１つを、間仕切壁の上方で間仕切壁の厚さ方向にわたって延在するように、両側の側壁と複数のリブ部の間に充填することが可能となる。
【００１６】
【発明の実施の形態】
次に、図面を参照して本発明のデッキプレートと間仕切壁の接合構造について説明する。
図１は本発明のデッキプレートと間仕切壁の接合構造の第１の実施の形態の構成を示す断面図、図２は第１の実施の形態における連結部材の斜視図である。
なお、以下に説明する第１乃至第４の実施の形態に対応する図１乃至図１２において、従来の接合構造と同一のまたは対応する部分には図１３乃至図１６と同一の符号を付してその説明を省略する。
【００１７】
まず、図１、図２を参照して第１の実施の形態の接合構造について説明する。
デッキプレートと間仕切壁の接合構造１０００は、デッキプレート１００と、間仕切壁３００と、連結部材４００とを備えて構成されている。また、間仕切壁３００はリブ部１２０の延在方向に沿って配設される。
【００１８】
デッキプレート１００は、コンクリート１０２が打設される上面１１１を有する板部１１０と、板部１１０の下面１１２に互いに間隔をおき互いに平行に延在する複数のリブ部１２０とを備えている。
リブ部１２０は、板部１１０の下面１１２から立設される壁部１２１と、壁部１２１の板部１１０と反対側に設けられ、壁部１２１の厚さ方向の寸法よりも大きな幅方向（リブ部１２０の延在方向と直交する方向）の寸法を有する端部１２２とを有している。端部１２２には上記下面１１２と平行をなし、リブ部１２０の延在方向に長手方向を有する帯状の平面部１２３が形成されている。
【００１９】
連結部材４００は、上記デッキプレート１００を、隣り合う２つのリブ部１２０の間隔よりも大きい幅で切断して構成されている。
図２に示されているように、連結部材４００は、デッキプレート１００と同様に、板部４１０と、板部４１０の上面４１１から立設される壁部４２１と、壁部４２１の板部４１０と反対側に設けられ、壁部４２１の厚さ方向の寸法よりも大きな幅方向（リブ部１２０の延在方向と直交する方向）の寸法を有する端部４２２とを有している。端部４２２には上記上面４１１と平行をなし、リブ部４２０の延在方向に長手方向を有する帯状の平面部４２３が形成されている。
また、板部４１０の上面４１１と下面４１２は、平坦な面として構成されている。
また、連結部材４００の長さは、デッキプレート１００のリブ部１２０の延在方向の長さと同程度とする。
【００２０】
連結部材４００は、リブ部４２０を上方に向けてその板部４１０の下面４１２が間仕切壁３００の上端３１０に取着されると共に、リブ部４２０がデッキプレート１００の隣り合う２つのリブ部１２０の間に位置し、さらに、デッキプレート１００の隣り合う２つのリブ部１２０の下面である平面部１２３に連結部材４００の板部４１０の上面４１１が取着されることで配設されている。
【００２１】
連結部材４００の板部４１０の下面４１２の間仕切壁３００の上端３１０への取着および連結部材４００の板部４１０の上面４１１のデッキプレート１００の隣り合う２つのリブ部１２０の平面部１２３への取着は、溶接などによって隙間なく行なわれる。
【００２２】
さらに、吸音材４３０が前記デッキプレート１００の隣り合う２つのリブ部１２０のうちの一方のリブ部１２０と連結部材４００のリブ部４２０との間に、間仕切壁３００の上方で間仕切壁３００の厚さ方向の全長にわたって、かつ、間仕切壁３００の延在方向にわたって延在するように充填されている。
【００２３】
次に上述したように構成された接合構造１０００の作用効果について説明する。
連結部材４００の板部４１０の上面４１１は、デッキプレート１００の隣り合う２つのリブ部１２０の平面部１２３へ隙間なく接続される。
また、連結部材４００の板部４１０の下面４１２は平坦な面として構成されているため、連結部材４００の板部４１０の下面４１２を間仕切壁３００の上端３１０およびランナー３０２との間に隙間なく接続することができる。
したがって、均一で優れた遮音性能を実現することができる。
また、デッキプレート１００に接続された連結部材４００に間仕切壁３００を接続する作業は、連結部材４００の下面４１２と間仕切壁３００の上端３１０を接続するのみでよいため、従来に比較して作業が容易である。
【００２４】
また、上記した連結部材４００のデッキプレート１００に対する溶接は、全周溶接でもよいし、スポット溶接でもよい。本出願人の実験によればスポット溶接で十分な遮音性能を確保できることが確認された。
また、連結部材４００のデッキプレート１００に対する取着は溶接に限定されるものではなく、例えば、エアーを用いた打ち付け、金物などによる打ち付けなどを用いることができる。
また、第１の実施の形態では、連結部材４００のデッキプレート１００への取着を床スラブ２００の施工後に行なうことができるため、間仕切壁３００を任意の位置に設けることができる利点がある。
【００２５】
また、この第１の実施の形態の接合構造１０００では、デッキプレート１００に対して間仕切壁３００を設ける位置が制約されることが無い。また、上階の床スラブ２００が構築された後で間仕切壁３００を設ける位置を任意に変更できる。
また、複数のデッキプレート１００がリブ部１２０の延在方向に並べて配設されたときに、隣り合うデッキプレート１００のリブ部１２０の延在方向と直交する方向の位置ずれがあっても、すなわち隣り合うデッキプレート１００のリブ部１２０が直線状に延在しなくても連結部材４００のリブ部４２０の間に上記リブ部１２０が位置すれば連結部材４００のデッキプレート１００への取着が可能となる利点もある。
【００２６】
また、上記接合構造１０００によれば、確保すべき遮音性能を、連結部材４００のリブ部４２０とデッキプレート１００のリブ部１２０の間に充填する吸音材の有無や、吸音材の量を調整することで容易に変更できる。吸音材としては、ロックウール、グラスウールなどの多孔質吸音材を使用できる。また、吸音材の代わりに遮音材、防火材を用いても良い。また、これらの吸音材、遮音材、防火剤は乾式、湿式のいずれであってもよい。
また、本例では、連結部材４００のリブ部４２０の数を２つとしたが、この数は２以上であってもよく、連結部材４００のリブ部４２０の数を増減することで上記接合構造１０００の遮音性能の程度を容易に変更調整することができる。すなわち、連結部材４００のリブ部４２０の数を増やせば遮音性能が向上され、減らせば遮音性能が減少される。
【００２７】
また、連結部材４００のリブ部４２０の数を増加させて板部４１０の幅方向の寸法を確保することにより、板部４１０の下面４１２の幅方向の寸法の範囲内で間仕切壁３００の延在方向を任意に設定することができる。
例えば、間仕切壁３００の延在方向がリブ部４２０の延在方向に対して交叉するような角度を有していてもかまわない。また、間仕切壁３００が直線状に延在しておらず、屈曲したり湾曲していてもかわない。
さらに、床スラブ２００を構成するデッキプレート１００の下部の全域を覆おうように連結部材４００を配設すれば、間仕切壁３００の延在方向の制約が無くなり、間仕切壁３００の施工方向が自由に選択することができる。
【００２８】
また、第１の実施の形態によれば、連結部材４００として床スラブ２００を構成するデッキプレート１００と同一のものを切断して使用する。したがって、建築材料の種類の増加がないため、部材の一括購入によるコストを削減でき、部材揚重計画の変更が不要となり、ストックヤード（部材置き場）の別途確保も不要となる。また、デッキプレート１００と間仕切壁３００とを接続するための部材が別に用意される場合と違って、部材の種類が少なくて済むので部材を誤認するといったミスも発生しない。
【００２９】
次に、テーパー状の形状を呈するデッキプレートを用いた場合について説明する。
図３は、リブ部がその延在方向の両端部でテーパ状に形成されている形態のデッキプレートの側面図である。デッキプレート１００Ａは、リブ部１２０の端部１２２が延在方向の両端部に向かうにつれて板部１１０の下面１１２に接近し、ついには下面１１２と一致するようなテーパ状を呈するように構成されている。
これは、デッキプレートのリブ部１２０の延在方向の両端部１２４を建物の梁Ｈの上面に載置するためである。
【００３０】
このような形態のデッキプレート１００Ａでは、以下のようにして連結部材を構成することができる。
第１に、第１の実施の形態の場合と同様に、デッキプレート１００Ａを切断して連結部材として使用する。この場合には、床スラブを構成するデッキプレート１００Ａと、連結部材としてのデッキプレート１００Ａとの双方の両端部１２４の部分に隙間が形成されるため、遮音性能が多少低下する。
第２に、連結部材としてのデッキプレート１００Ａを、リブ部１２０の延在方向の中間位置（すなわちテーパ状でない部分）で切断する。切断した部分を両端とし、テーパ状の部分の端部同士を接続することで連結部材とする。この場合には、床スラブを構成するデッキプレート１００Ａと、連結部材としてのデッキプレート１００Ａとの双方の両端部１２４による隙間がそれぞれ互いのリブ部１２０によって閉塞されるので第１の場合よりも遮音性能の低下が少なくて済む。
第３に、デッキプレート１００Ａのうち、テーパ状の部分を切り落とし、非テーパ状部分のみで連結部材を構成する。この場合には、床スラブを構成するデッキプレート１００Ａの両端部１２４による隙間が連結部材のリブ部１２０によって閉塞されるので第２の場合よりもさらに遮音性能の低下が少なくて済む。
【００３１】
図４は、第１の実施の形態で示した接合構造の遮音性能に関する評価結果を示す特性図である。
図４において、横軸は１／３オクターブ中心周波数、縦軸は音響透過損失をそれぞれ示している。すなわち、間仕切壁３００の一方の側で発生した音が間仕切壁３００の他方に伝わる度合いを計測して遮音性能を評価している。
実験条件は以下に示す５種類の条件である。
（条件１）間仕切壁単体
（条件２）従来の接合構造（デッキプレートのリブ部とランナーとの間にロックウールを充填した）
（条件３）第１の実施の形態の構成に加えて連結部材４００とデッキプレート１００のリブ部１２０の外側に面した箇所にモルタルなどを全面的に塗り付けた構成（図３では（本発明▲１▼[塗付全面]）と記載）
（条件４）第１の実施の形態の構成に加えて連結部材４００とデッキプレート１００のリブ部１２０の外側に面した箇所にモルタルなどを軽微に塗り付けた構成（図３では（本発明▲１▼[軽微な塗付]）と記載）
（条件５）第１の実施の形態の構成のままであって連結部材４００とデッキプレート１００のリブ部１２０の外側に面した箇所にモルタルなどを塗り付けていない構成（図３では（本発明▲１▼[基本]）と記載）
【００３２】
図４の実験結果から明らかなように、従来構造に比較して第１の実施の形態の接合構造で遮音性能が向上していることが明らかに示されている。また、（条件３）が最も優れた遮音性能を実現しており、以下、（条件４）、（条件５）の順番で遮音性能が低下していることがわかる。
また、これらの結果から、連結部材４００とデッキプレート１００のリブ部１２０の外側に面した箇所にモルタルなどの部材を塗り付けることで遮音性能を向上することができることがわかる。
【００３３】
図５は本発明のデッキプレートと間仕切壁の接合構造の第２の実施の形態の構成を示す断面図、図６は第２の実施の形態における連結部材の斜視図である。
まず、図５、図６を参照して第２の実施の形態の接合構造について説明する。
第２の実施の形態のデッキプレートと間仕切壁の接合構造２０００が第１の実施の形態と異なる点は、主として連結部材５００の構成である。
接合構造２０００は、第１の実施の形態と同じ構成のデッキプレート１００、間仕切壁３００と、連結部材５００とを備えている。間仕切壁３００がリブ部１２０の延在方向に沿って配設される点は第１の実施の形態と同様である。
【００３４】
連結部材５００は、例えば金属板などから構成され、デッキプレート１００の隣り合う２つのリブ部１２０の間隔よりも大きい幅を有し、かつ、リブ部１２０の延在方向に延在する平坦な底壁５１０と、底壁５１０の幅方向の両側部から起立される２つの側壁５２０とを有している。
２つの側壁５２０は上方に向かうにしたがって互いに近接する方向に傾斜して形成され、これら２つの側壁５２０が２つリブ部１２０のうち幅方向の外側の箇所に係合可能に設けられている。
２つの側壁５２０の上端には幅方向の外側に向けて屈曲された折り返し部５２１が形成され、折り返し部５２１の上面５２２は底壁５１０と平行で平坦な面を形成している。
なお、底壁５１０の上面５１１から側壁５２０の折り返し部５２１の上面５２２までの寸法は、デッキプレート１００のリブ部１２０の高さ以上とし、２つの側壁５２０の間隔は、隣り合うリブ部１２０の間隔の整数倍（本例では１倍）にリブ部１２０の端部１２２の幅を加えた寸法以上とする。また、連結部材５００の長さは、デッキプレート１００のリブ部１２０の延在方向の長さと同程度とする。
【００３５】
連結部材５００は、２つの側壁５２０を上方に向けてその底壁５１０の下面５１２が間仕切壁３００の上端３１０に溶接などによって隙間なく取着されると共に、２つの側壁５２０が２つのリブ部１２０の外側に位置した状態で２つの側壁５２０の折り返し部５２１の上面５２２が板部１１０の下面１１２に溶接などによって隙間なく取着されている。
また、２つのリブ部１２０の下面である平面部１２３に連結部材５００の底壁５１０の上面５１１が例えば接着などによって隙間なく取着されている。
【００３６】
吸音材５３０が、連結部材５００の底壁５１０の上方において、すなわち間仕切壁３００の上方でデッキプレート１００の隣り合う２つのリブ部１２０との間に間仕切壁３００の厚さ方向の全長にわたって、かつ、間仕切壁３００の延在方向にわたって延在するように充填されている。
【００３７】
次に上述したように構成された接合構造２０００の作用効果について説明する。
連結部材５００の２つの側壁５２０の折り返し部５２１の上面５２２が板部１１０の下面１１２に溶接などによって隙間なく取着されている。
また、連結部材５００の底壁５１０の下面５１２は平坦な面として構成されているため、間仕切壁３００の上端３１０およびランナー３０２との間に隙間なく接続することができる。
したがって、均一で優れた遮音性能を実現することができる。
【００３８】
また、デッキプレート１００に接続された連結部材５００に間仕切壁３００を接続する作業は、連結部材５００の下面５１２と間仕切壁３００の上端３１０を接続するのみでよいため、従来に比較して作業が容易である。
また、上記した連結部材５００のデッキプレート１００に対する溶接が全周溶接でもスポット溶接でもよいこと、および、連結部材５００のデッキプレート１００に対する取着が溶接に限定されるものではなく例えば、エアーを用いた打ち付け、金物などによる打ち付けなどを用いることができることは第１の実施の形態の場合と同様である。
また、第２の実施の形態でも、連結部材５００のデッキプレート１００への取着を床スラブ２００の施工後に行なうことができるため、間仕切壁３００を任意の位置に設けることができる利点があることも第１の実施の形態と同じである。
【００３９】
また、上記接合構造２０００によれば、確保すべき遮音性能を、連結部材５００の底壁５１０とデッキプレート１００のリブ部１２０の間に充填する吸音材の有無や、吸音材の量を調整することで容易に変更できる。また、吸音材として多孔質吸音材を使用でき、吸音材の代わりに遮音材、防火材を用いても良いことは第１の実施の形態の場合と同様である。
また、本例では、連結部材５００の２つの側壁５２０の間に位置するデッキプレート１００のリブ部１２０の数を２つとしたが、この数は２以上の複数であってもよい。すなわち、２つの側壁５２０がこれら複数のリブ部１２０のうち幅方向の最も外側に位置する２つのリブ部１２０の外側に位置した状態で２つの側壁５２０がデッキプレート１００の板部１１０の下面１１２に取着すればよい。
このようにして、連結部材５００の側壁５２０の間に位置するリブ部１２０の数を増減することで上記接合構造２０００の遮音性能の程度を容易に変更調整することができる。すなわち、連結部材５００の側壁５２０の間に位置するリブ部１２０の数を増やせば遮音性能が向上され、減らせば遮音性能が減少される。
また、連結部材５００を形成する金属板の厚さによって上記接合構造２０００の遮音性能の程度を変更調整することもできる。
【００４０】
また、この第２の実施の形態の場合では、第１の実施の形態と異なり、連結部材５００がデッキプレート１００を切断したものではない。したがって、例えば床スラブの施工後、時間が経過してからの工事、例えばリフォームなどの場合に、床スラブの施工時のデッキプレート１００の入手が困難であっても連結部材５００を容易に入手して施工することができるという利点もある。
【００４１】
また、連結部材５００の２つの側壁５２０を、これら２つの側壁の間に位置する複数のリブ部１２０のうち幅方向の外側に位置する２つのリブ部１２０の外側の箇所に係合可能に設けることもできる。
この場合には、連結部材５００をデッキプレート１００に容易に仮止めすることができ、作業性を向上させることができる。
【００４２】
図７は、第２の実施の形態で示した接合構造の遮音性能に関する評価結果を示す特性図である。
図７は、図４と同様に、横軸は１／３オクターブ中心周波数、縦軸は音響透過損失をそれぞれ示している。
実験条件は以下に示す４種類の条件である。
（条件１）間仕切壁単体
（条件２）従来の接合構造（デッキプレートのリブ部とランナーとの間にロックウールを充填した）
（条件３）第２の実施の形態の構成に加えて連結部材５００の側壁５２０の外側にモルタルなどを全面的に塗り付けた構成（図７では（本発明▲２▼[塗付全面]）と記載）
（条件４）第２の実施の形態の構成のままであって連結部材５００の側壁５２０の外側にモルタルなどを塗り付けていない構成（図７では（本発明▲２▼[基本]）と記載）
【００４３】
なお、連結部材５００とデッキプレート１００の接続箇所とは、図５で説明すると、連結部材５００の側壁５２０の折り返し部５２１とデッキプレート１００の板部１１０の下面１１２との接続箇所である。また、連結部材５００と間仕切壁３００の接続箇所とは、連結部材５００の底壁５１０の下面５１２と間仕切壁３００の上端３１０との接続箇所である。
【００４４】
図７の実験結果から明らかなように、従来構造に比較して第２の実施の形態の接合構造で遮音性能が向上していることが明らかに示されている。また、（条件３）が最も優れた遮音性能を実現しており、その次に（条件４）が優れていることがわかる。
また、これらの結果から、連結部材５００の側壁５２０の外側にモルタルなどの部材を塗り付けることで遮音性能を向上することができることがわかる。
【００４５】
図７の実験結果についてさらに説明する。
第２の実施の形態の接合構造に対応する条件３と条件４の特性曲線（性能曲線）のうち、周波数が６３０Ｈｚ乃至８００Ｈｚの範囲で音響透過損失の特性が低下している。
この音響透過損失の特性の部分的な低下は、連結部材５００に用いた材料（鉄板）の物性（コインシデンス効果）の影響によるものである。
音響透過損失の特性が低下する周波数範囲は、上記連結部材５００の材質が同一であればその厚さを変更することで周波数範囲をより高い周波数の方向または低い周波数の方向にシフトすることできる。
【００４６】
具体的にいえば、上記連結部材５００の厚さを厚くすることで、音響透過損失の特性が低下する周波数範囲を低い周波数にシフトすることができ、上記連結部材５００の厚さを薄くすることで、音響透過損失の特性が低下する周波数範囲を高い周波数にシフトすることができる。
また、音響透過損失の特性が低下する周波数範囲は、上記連結部材５００の材質を変更することで変えることもできる。
このように連結部材５００の厚さまたは材質を適宜選択することによって、第２の実施の形態の場合にも、第１の実施の形態で示した図４の特性曲線と同等の遮音性能を実現することができる。
【００４７】
図８は本発明のデッキプレートと間仕切壁の接合構造の第３の実施の形態の構成を示す断面図である。
まず、図８を参照して第３の実施の形態の接合構造について説明する。
第３の実施の形態のデッキプレートと間仕切壁の接合構造３０００が第１、第２の実施の形態と異なる点は、複数のデッキプレート１００をリブ部１２０の延在方向と直交する方向に間隔をおいて建物に建て込む点と、複数のデッキプレート１００にコンクリートが打設される前に連結部材６００を各デッキプレート１００の間に配設する点である。間仕切壁３００はリブ部１２０の延在方向に沿って配設される点は第１、第２の実施の形態と同様である。
【００４８】
連結部材６００は、例えば金属板などから構成され、隣り合う２つデッキプレート１００の間で板部１１０よりも下方の位置でリブ部１２０の延在方向に延在する底壁６１０と、底壁６１０の幅方向の両側部から起立される２つの側壁６２０とを有する。底壁６１０は、その幅方向の寸法が間仕切壁３００の厚さ方向の寸法よりも大きくなるように形成されている。また、連結部材６００の長さは、デッキプレート１００のリブ部１２０の延在方向の長さと同程度とする。
２つの側壁６２０の上端には幅方向の外側に向けて屈曲された折り返し部６２１（特許請求の範囲の上端部に相当）が形成され、折り返し部６２１の下面６２２は底壁６１０と平行で平坦な面を形成している。
また、連結部材６００は、それに打設されるコンクリート１０２の側圧に構造的に耐えるとともに、コンクリート１０２が打設された後、耐火性、耐アルカリ性の条件を満たす材質であれば、金属製、木製、合成樹脂製などどのような部材であってもよい。
【００４９】
複数のデッキプレート１００は、リブ部１２０の延在方向と直交する方向に間隔をおいてすなわち隣り合う２つのデッキプレート１００の板部１１０の側縁部１１３の間に帯状の隙間が形成されるように建物に建て込まれる。
連結部材６００は、２つの側壁６２０を上方に向けてその底壁６１０の下面６１２が間仕切壁３００の上端３１０に隙間なく取着されると共に、２つの側壁６２０の折り返し部６２１の下面６２２が隣り合う２つのデッキプレート１００の板部１１０の側縁部１１３に当接して隙間が生じないように配設されている。
すなわち、隣り合う２つのデッキプレート１００の板部１１０の側縁部１１３の間に形成された帯状の隙間が連結部材６００によって閉塞されるようになっている。
【００５０】
この状態で、デッキプレート１００の板部１１０の上面１１１に打設されたコンクリート１０２が、間仕切壁３００の上方で間仕切壁３００の厚さ方向の全長にわたって延在するように、連結部材６００の底壁６１０の上面６１１と２つの側壁６２０に囲まれた部分に充填される。
【００５１】
次に上述したように構成された接合構造３０００の作用効果について説明する。
連結部材６００の２つの側壁６２０の折り返し部６２１の下面６２２は、隣り合う２つのデッキプレート１００の板部１１０の側縁部１１３に当接しており、下面６２２と側縁部１１３との間に隙間が生じないようになっている。
また、連結部材６００の底壁６１０の下面６１２は平坦な面として構成されているため、間仕切壁３００の上端３１０およびランナー３０２との間に隙間なく接続することができる。
したっがって、均一で優れた遮音性能を実現することができる。
また、デッキプレート１００に接続された連結部材６００に間仕切壁３００を接続する作業は、連結部材６００の下面６１２と間仕切壁３００の上端３１０を接続するのみでよいため、従来に比較して作業が容易である。
また、上記接合構造３０００によれば、連結部材６００の底壁６１０の上面６１１と２つの側壁６２０に囲まれた部分に充填されたコンクリート１０２によって優れた遮音性能を実現することができる。
【００５２】
なお、この第３の実施の形態では、デッキプレート１００に対するコンクリートの打設作業の前に連結部材６００をデッキプレート１００に設置することになる。この際、通常は、連結部材６００を隣接するデッキプレート１００の間に置くだけでよい。
ただし、連結部材６００を隣接するデッキプレート１００の間に置くだけでは連結部材６００が安定しない場合など、連結部材６００が配設される場所や状況によっては連結部材６００とデッキプレート１００とを溶接などによって取着する必要がある。
この場合、連結部材６００のデッキプレート１００に対する溶接が全周溶接でもスポット溶接でもよいこと、および、連結部材６００のデッキプレート１００に対する取着は溶接に限定されるものではないことは第１、第２の実施の形態の場合と同様である。
【００５３】
なお、第３の実施の形態における連結部材６００は、第２の実施の形態における連結部材５００と同じ形状とすることができ、この場合には、連結部材を流用することが可能となる。
【００５４】
図９は本発明のデッキプレートと間仕切壁の接合構造の第４の実施の形態の構成を示す断面図、図１０は図９を矢印Ａ方向から見た状態を示す立面図である。図１１（Ａ）は連結部材の一例を示す斜視図、図１１（Ｂ）は連結部材の他の例を示す斜視図である。図１２（Ａ）は連結部材をデッキプレートに取り付ける第１の手順を示す説明図、図１２（Ｂ）は連結部材をデッキプレートに取り付ける第２の手順を示す説明図、図１２（Ｃ）は連結部材をデッキプレートに取り付ける第３の手順を示す説明図である。
【００５５】
まず、図９、図１０を参照して第４の実施の形態の接合構造について説明する。
第４の実施の形態のデッキプレートと間仕切壁の接合構造４０００が第１乃至第３の実施の形態と異なる点は、間仕切壁３００がデッキプレート１００の複数のリブ部１２０の延在方向と直交する方向（交叉する方向）に沿って配設される点と、連結部材７００の構成である。
接合構造４０００は、デッキプレート１００、間仕切壁３００と、連結部材７００とを備えている。
【００５６】
図１１（Ａ）に示されているように、連結部材７００は、例えば金属板から形成され、間仕切壁３００の延在方向に延在する底壁７１０と、底壁７１０の幅方向の両側部から底壁７１０の長手方向に沿って起立された両側の側壁７２０と、各側壁７１０の長手方向に間隔をおいて設けられ上方に開放状の複数の切り欠き７３０とを有して構成されている。側壁７２０は、上部に向かうにしたがって底壁７１０の幅方向内側に傾斜するように構成されている。
底壁７１０の上面７１１と下面７１２は平坦な面を構成している。
側壁７２０の上端部には、底壁７１０の幅方向外側に向かって折り返された折り返し部７２１が底壁７１０と平行な上面７２２を有して設けられている。この上面７２２は、平坦な面を構成し後述するようにデッキプレート１００の板部１１０の下面１１２に取着されるようになっている。
側壁７２０の長手方向の両側部には、底壁７１０の幅方向外側に向かって折り返された折り返し部７２３が設けられている。
後述するように、折り返し部７２３は、側壁７２０の延在方向の向きに折り曲げられることでリブ部１２０との間の隙間を閉塞するようになっている。
【００５７】
次に、図１２（Ａ）乃至図１２（Ｃ）を参照して連結部材７００をデッキプレート１００に接続する手順を説明する。
まず、図１２（Ａ）、図１２（Ｂ）に示されているように、連結部材７００を、その底壁７１０の延在方向が複数のリブ部１２０と直交する方向と一致させ、かつ、連結部材７００の複数の側壁７２０を上方に向け、各切り欠き７３０内に各リブ部１２０が収容されるように位置決めする。
このとき、図９に示されているように、吸音材７４０を間仕切壁３００の上方で間仕切壁３００の厚さ方向の全長にわたって、かつ、間仕切壁３００の延在方向わたって延在するように、両側の側壁７２０と複数のリブ部１２０の間に充填する。
この結果、側壁７２０の上端の折り返し部７２１の上面７２２がデッキプレート１００の板部１１０の下面１１２に面した状態となり、かつ、各リブ部１２０の端部１２２の平面部１２３が底壁７１０の上面７１１に面した状態となる。
【００５８】
この状態では、各側壁７２０の切り欠き７３０と、各切り欠き７３０内に収容された各リブ部１２０との間には間隙がある。
この状態で、図１２（Ｃ）に示されているように、各折り返し部７２３を側壁７２０の延在方向向きに折り曲げることによって各リブ部１２０と切り欠き７３０との間隙が閉塞される。
この際、折り曲げられた各折り返し部７２３の下端部がリブ部１２０の端部１２２の上部に係止することで、連結部材７００はデッキプレート１００に対して仮止めされた状態となる。
【００５９】
図１２（Ｃ）に示された状態で、複数の側壁７２０の折り返し部７２１がデッキプレート１００の板部１１０の下面１１２に溶接などによって隙間なく取着される。
次いで、連結部材７００の底壁７１０の下面７１１が間仕切壁３００の上端３１０に隙間なく取着される。
この結果、図９、図１０に示されているように、連結部材７００は、デッキプレート１００と間仕切壁３００に対して隙間なく取着されて配設される。
【００６０】
次に上述したように構成された接合構造４０００の作用効果について説明する。
連結部材７００の複数の側壁７２０の折り返し部７２１がデッキプレート１００の板部１１０の下面１１２に溶接などによって隙間なく取着される。
また、連結部材７００の底壁７１０の下面７１２は平坦な面として構成されているため、間仕切壁３００の上端３１０およびランナー３０２との間に隙間なく接続することができる。
したがって、均一で優れた遮音性能を実現することができる。
また、デッキプレート１００に接続された連結部材７００に間仕切壁３００を接続する作業は、連結部材７００の下面７１２と間仕切壁３００の上端３１０を接続するのみでよいため、従来に比較して作業が容易である。
また、側壁７２０の折り返し部７２３によって切り欠き７３０と各リブ部１２０との間に隙間が生じないように閉塞されているため、優れた遮音性能を実現することができる。
【００６１】
なお、上記した連結部材７００のデッキプレート１００に対する溶接が、全周溶接でもスポット溶接でもよいこと、および、連結部材７００のデッキプレート１００に対する取着が溶接に限定されるものではなく例えば、エアーを用いた打ち付け、金物などによる打ち付けなどを用いることができることは第１、第２の実施の形態の場合と同様である。
また、第４の実施の形態においても、連結部材７００のデッキプレート１００への取着を床スラブ２００の施工後に行なうことができるため、間仕切壁３００を任意の位置に設けることができる利点があることも第１、第２の実施の形態と同じである。
【００６２】
また、上記接合構造４０００によれば、確保すべき遮音性能を、連結部材７００の底壁７１０とデッキプレート１００のリブ部１２０の間に充填する吸音材の有無や吸音材の量を調整することで容易に変更でき、吸音材として他の多孔質吸音材を使用でき、吸音材の代わりに遮音材、防火材を用いても良いことは第１乃至第３の実施の形態の場合と同様である。
また、本例では、図１１（Ａ）に示されているように、連結部材７００が底壁７１０の幅方向に多数の側壁７２０と切り欠き７３０が設けられたものを使用したが、本発明はこれに限定されるものではなく、図１１（Ｂ）に示されているように、底壁７１０の幅方向にそれぞれ１つの側壁７２０と、それぞれの側壁７２０を挟むように設けられた切り欠き７３０が設けられたものを使用することもできる。
【００６３】
また、連結部材７００の底壁７１０の幅方向の寸法を増減することによって対向する側壁７２０間の間隔を増減させることで上記接合構造４０００の遮音性能の程度を変更調整することができる。
また、連結部材７００を形成する金属板の厚さによって上記接合構造４０００の遮音性能の程度を変更調整することもできる。
なお、連結部材７００の側壁７２０の外側の箇所にコーキングや湿式工法塗り付けを行うことで遮音性能を更に向上させることができる。この際、側壁７２０が上部に向かうほど底壁７１０の幅方向の内側に傾斜した構成としておけば、モルタルなどの塗り付け部材を容易に固定でき、かつ、塗り付け部材が無駄に使用されないのでコスト面で有利である。
【００６４】
また、連結部材７００の底壁７１０の下面７１２にランナー３０２を係合する係合部を設け、ランナー３０２と連結部材７００の取着をより強固にすることも可能である。
また、連結部材７００の底壁７１０にランナー３０２と同じ機能を奏する部材を一体的に設けておけば、間仕切壁３００の上端３１０を連結部材７００に取着する作業をより合理化することができる。
【００６５】
【発明の効果】
以上詳述したように、本発明のデッキプレートと間仕切壁の接合構造は、デッキプレートは、コンクリートが打設される上面を有する板部と、該板部の下面に互いに間隔をおき互いに平行に延在する複数のリブ部とを備え、前記複数のリブ部の下方に前記リブ部の延在方向に沿って間仕切壁が設けられるデッキプレートと間仕切壁の接合構造であって、前記デッキプレートを該デッキプレートの隣り合う２つのリブ部の間隔よりも大きい幅で切断してなる連結部材を設け、前記連結部材は前記リブ部を上方に向けてその板部の下面が間仕切壁の上端に取着されると共に、前記連結部材のリブ部が前記デッキプレートのリブ部の間に位置し、さらに、前記デッキプレートのリブ部の下面に連結部材の板部の上面が取着されることで配設される構成とした。
【００６６】
そのため、連結部材とデッキプレートの間、連結部材と間仕切壁の上端の間を隙間なく接続することができるため、均一で優れた遮音性能を実現することができる。
また、連結部材を間仕切壁に接続する作業は、連結部材の下面と間仕切壁の上端を接続するのみでよいため、従来に比較して作業が容易である。
吸音材、遮音材、耐火材の少なくとも１つを間仕切壁の上方でデッキプレートのリブ部と連結部材のリブ部との間に間仕切壁の厚さ方向にわたって延在するように充填することが可能となる。
【００６７】
また、本発明のデッキプレートと間仕切壁の接合構造は、デッキプレートは、コンクリートが打設される上面を有する板部と、該板部の下面に互いに間隔をおき互いに平行に延在する複数のリブ部とを備え、前記複数のリブ部の下方に前記リブ部の延在方向に沿って間仕切壁が設けられるデッキプレートと間仕切壁の接合構造であって、前記デッキプレートの隣り合う２つのリブ部の間隔よりも大きい幅を有し、かつ、前記リブ部の延在方向に延在する底壁と、前記底壁の幅方向の両側部から起立される２つの側壁とを有する連結部材を設け、前記連結部材は前記２つの側壁を上方に向けてその底壁の下面が間仕切壁の上端に取着されると共に、前記２つの側壁が前記複数のリブ部のうち幅方向の外側に位置する２つのリブ部の外側に位置した状態で前記２つの側壁が前記板部の下面に取着されることで配設される構成とした。
【００６８】
そのため、連結部材とデッキプレートの間、連結部材と間仕切壁の上端の間を隙間なく接続することができるため、均一で優れた遮音性能を実現することができる。
また、連結部材を間仕切壁に接続する作業は、連結部材の下面と間仕切壁の上端を接続するのみでよいため、従来に比較して作業が容易である。
吸音材、遮音材、耐火材の少なくとも１つを間仕切壁の上方で間仕切壁の厚さ方向にわたって延在するように、複数のリブ部の間に充填することが可能となる。
【００６９】
また、本発明のデッキプレートと間仕切壁の接合構造は、デッキプレートは、コンクリートが打設される上面を有する板部と、該板部の下面に互いに間隔をおき互いに平行に延在する複数のリブ部とを備え、複数個の前記デッキプレートが前記リブ部の延在方向と直交する方向に所定の間隔をおいて建て込まれ、前記隣り合う２つのデッキプレートの間の下方に前記リブ部の延在方向に沿って間仕切壁が設けられるデッキプレートと間仕切壁の接合構造であって、前記隣り合う２つのデッキプレートの間で前記板部よりも下方の位置で前記リブ部の延在方向に延在する底壁と、前記底壁の幅方向の両側部から起立される２つの側壁とを有する連結部材を設け、前記連結部材は前記２つの側壁を上方に向けてその底壁の下面が間仕切壁の上端に取着されると共に、前記２つの側壁の上端部が前記隣り合う２つのデッキプレートの板部の側縁部に当接されて配設され、前記デッキプレートの板部の上面に打設されたコンクリートが、前記間仕切壁の上方で間仕切壁の厚さ方向にわたって延在するように、前記連結部材の底壁の上面と前記２つの側壁に囲まれた部分に充填されている構成とした。
【００７０】
そのため、連結部材とデッキプレートの間、連結部材と間仕切壁の上端の間を隙間なく接続することができるため、均一で優れた遮音性能を実現することができる。
また、連結部材を間仕切壁に接続する作業は、連結部材の下面と間仕切壁の上端を接続するのみでよいため、従来に比較して作業が容易である。
また、連結部材の底壁の上面と２つの側壁に囲まれた部分に充填されたコンクリートによって優れた遮音性能を実現することができる。
【００７１】
また、本発明のデッキプレートと間仕切壁の接合構造は、デッキプレートは、コンクリートが打設される上面を有する板部と、該板部の下面に互いに間隔をおき互いに平行に延在する複数のリブ部とを備え、前記複数のリブ部の下方に前記複数のリブ部の延在方向と交叉する方向に延在して間仕切壁が設けられるデッキプレートと間仕切壁の接合構造であって、前記間仕切壁の延在方向に延在する底壁と、前記底壁の幅方向の両側部から前記底壁の長手方向に沿って起立された両側の側壁と、前記各側壁の長手方向に間隔をおいて設けられた上方に開放状の複数の切り欠きとを有する連結部材を設け、前記連結部材は前記複数の側壁を上方に向けてその底壁の下面が間仕切壁の上端に取着されると共に、前記複数の側壁が前記デッキプレートの隣り合う２つのリブ部の間をそれぞれ閉塞するように各リブ部が前記切り欠き内に収容され、かつ、前記複数の側壁の上端部が前記デッキプレートの板部の下面に取着されることで配設される構成とした。
【００７２】
そのため、連結部材とデッキプレートの間、連結部材と間仕切壁の上端の間を隙間なく接続することができるため、均一で優れた遮音性能を実現することができる。
また、連結部材を間仕切壁に接続する作業は、連結部材の下面と間仕切壁の上端を接続するのみでよいため、従来に比較して作業が容易である。
また、吸音材、遮音材、耐火材の少なくとも１つを、間仕切壁の上方で間仕切壁の厚さ方向にわたって延在するように、両側の側壁と複数のリブ部の間に充填することが可能となる。
【図面の簡単な説明】
【図１】本発明のデッキプレートと間仕切壁の接合構造の第１の実施の形態の構成を示す断面図である。
【図２】第１の実施の形態における連結部材の斜視図である。
【図３】デッキプレートの一例を示す側面図である。
【図４】第１の実施の形態で示した接合構造の遮音性能に関する評価結果を示す特性図である。
【図５】本発明のデッキプレートと間仕切壁の接合構造の第２の実施の形態の構成を示す断面図である。
【図６】第２の実施の形態における連結部材の斜視図である。
【図７】第２の実施の形態で示した接合構造の遮音性能に関する評価結果を示す特性図である。
【図８】本発明のデッキプレートと間仕切壁の接合構造の第３の実施の形態の構成を示す断面図である。
【図９】本発明のデッキプレートと間仕切壁の接合構造の第４の実施の形態の構成を示す断面図である。
【図１０】図９を矢印Ａ方向から見た状態を示す立面図である。
【図１１】（Ａ）は連結部材の一例を示す斜視図、（Ｂ）は連結部材の他の例を示す斜視図である。
【図１２】（Ａ）は連結部材をデッキプレートに取り付ける第１の手順を示す説明図、図（Ｂ）は連結部材をデッキプレートに取り付ける第２の手順を示す説明図、（Ｃ）は連結部材をデッキプレートに取り付ける第３の手順を示す説明図である。
【図１３】デッキプレートと間仕切壁の接合構造の従来例を示す断面図である。
【図１４】フラットバーが取着されたデッキプレートの斜視図である。
【図１５】デッキプレートと間仕切壁の接合構造の従来例を示す断面図である。
【図１６】図１５を矢印Ａ方向から見た状態を示す立面図である。
【符号の説明】
１０００、２０００、３０００、４０００  接合構造
１００  デッキプレート
２００  床スラブ
３００  間仕切壁
４００、５００、６００、７００  連結部材
【図１】
0004357081.tif 000002
【図２】
0004357081.tif 000003
【図３】
0004357081.tif 000004
【図４】
0004357081.tif 000005
【図５】
0004357081.tif 000006
【図６】
0004357081.tif 000007
【図７】
0004357081.tif 000008
【図８】
0004357081.tif 000009
【図９】
0004357081.tif 000010
【図１０】
0004357081.tif 000011
【図１１】
0004357081.tif 000012
【図１２】
0004357081.tif 000013
【図１３】
0004357081.tif 000014
【図１４】
0004357081.tif 000015
【図１５】
0004357081.tif 000016
【図１６】
0004357081.tif 000017